(57)【特許請求の範囲】
【請求項１】
上面に第１吹出口を設け、前面に吸い込み口を具備し、前記吸い込み口の下方に第２吹出口を設けた本体内に、蒸発器と凝縮器と送風機と水受け皿とドレン水の排水容器を備える構成とした除湿機。
【請求項２】
上面に第１吹出口を設け、前面に吸い込み口を具備し、前記吸い込み口の下方に第２吹出口を設けた本体内に、蒸発器と凝縮器と送風機と水受け皿とドレン水の排水容器を備え、前記第２吹出口に除湿風を下方に吹出す吹出ルーバを備える構成とした除湿機。
【請求項３】
上面に第１吹出口を設け、前面に吸い込み口を具備し、前記吸い込み口の下方に第２吹出口を設けた本体内に、蒸発器と凝縮器と送風機と水受け皿とドレン水の排水容器を備え、前記第２吹出口と前記送風機とを連通する送風通路の一部又は全部を前記水受け皿で構成した除湿機。
【発明の詳細な説明】
【０００１】
【産業上の利用分野】
本発明は、除湿乾燥に用いる除湿機に関する。
【０００２】
【従来の技術】
近年、都市の過密化，大気汚染による屋外での乾燥への影響，共稼ぎ世帯の増加などによる社会情勢の変化にともなって、昼夜の区別なく、また、天候にかかわりなく部屋など住環境および靴などの小物を除湿する必要性が高まっている。
【０００３】
以下に従来例の除湿機について説明する。
例えば特開平５−１４１７０５号公報に示されている除湿機は図３に示すように、本体１の上面に第１吹出口２と前面に吸い込み口３を有し、吸い込み口３の上部に第２吹出口４を設け、内部に蒸発器５，凝縮器６，送風機７，水受け皿８，ドレン水の排水容器９を備えた構成であった。
【０００４】
【発明が解決しようとする課題】
しかしながら上記のような従来例の除湿機では、除湿機の前に置いた靴などの小物を除湿乾燥すると、第２吹出口４が吸い込み口３の上部にあるため吹出した除湿風が除湿乾燥しようとする靴などに当たらず吸い込み口３より再度吸い込まれる所謂短絡現象になり靴などの小物が除湿乾燥できない問題点を有していた。
【０００５】
本発明は上記従来の問題点を解決するもので、靴などの小物を効率よく除湿乾燥する除湿機を提供するものである。
【０００６】
【課題を解決するための手段】
この目的を達成するため請求項１に記載の除湿機は、上面に第１吹出口を設け、前面に吸い込み口を具備し、吸い込み口の下方に第２吹出口を設けた本体内に蒸発器と凝縮器と送風機と水受け皿とドレン水の排水容器を設けたものである。
【０００７】
また、請求項２に記載の除湿機は、上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口に除湿風を下方に吹出す吹出ルーバを設けたものである。
【０００８】
また、請求項３に記載の除湿機は、上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口と送風機とを連通する送風通路の一部又は全部を水受け皿で構成したものである。
【０００９】
【作用】
本発明の除湿機は前記する構成により上面に第１吹出口を設け、前面に吸い込み口を具備し、吸い込み口の下方に第２吹出口を設けた本体内に蒸発器と凝縮器と送風機と水受け皿とドレン水の排水容器を設けることにより、靴などの小物との距離を近くでき直接吹出した除湿風を当てることができるので効率よく除湿乾燥ができる。
【００１０】
また、請求項２に記載の除湿機は、上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口に除湿風を下方に吹出す吹出ルーバを設けることにより、吸い込み風と吹出し風を分離できるので吹出口より吹出した除湿風をすぐに吸い込んでしまう所謂短絡現象が防止できるので効率よく除湿乾燥できる。
【００１１】
さらに請求項３に記載の除湿機は、上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口と送風機とを連通する送風通路の一部又は全部を水受け皿で構成することにより、水受け皿の裏面には結露水が付着しないので水滴が吹出すことがなく効率よく除湿乾燥できる。
【００１２】
【実施例】
以下本発明の一実施例について図面を参照しながら説明する。
【００１３】
図１において、本体１上面に第１吹出口２を設け、前面に吸い込み口３を具備し、吸い込み口３の下方に第２吹出口４を設けた本体１内に蒸発器５と凝縮器６と送風機７，ファンモータ１０とを構成し、蒸発器５の下部に水受け皿８と本体１と着脱可能に構成したドレン水の排水容器９を設け、第２吹出口４に吹出方向を下方とした吹出ルーバ１１を備え、第２吹出口４と送風機７とを連通する送風通路１２の一部を水受け皿８で構成してある。１３は水受け皿８の下方に送風通路１２を縦断し、ドレン水の排水容器９に発生したドレン水を導くドレン管である。１４は本体１上部に設置した操作部である。
【００１４】
図２は、図１の本体１（除湿機）を使い、靴１５を除湿乾燥している使用説明図である。
【００１５】
以上のように構成された除湿機について、以下その動作を説明する。
靴１５を除湿乾燥するとき、本体１上部の操作部１４により除湿機の本体１を運転すると、圧縮機（図示せず）・ファンモータ１０が回転し、吸い込み口３より吸い込んだ空気中の湿分を蒸発器５が水滴とし、その水滴によるドレン水は水受け皿８をつたい送風通路１２を縦断し、下部のドレン水の排水容器９に溜る。
【００１６】
蒸発器５で低温低湿度になった空気を凝縮器６で加熱し、常温低湿度の空気として一部は本体１上部の第１吹出口２から本体１外へ吹出す。これにより本体１が設置してある部屋の除湿ができる。
【００１７】
そして残りの大部分の常温低湿度の空気は下方の水受け皿８で一部が構成された送風通路１２を通り、吹出方向を下方とした吹出ルーバ１１により、第２吹出口４から下方に向け吹出される。
【００１８】
以上のように吹出された除湿風が直接近距離の靴１５に当たるため、効率よく除湿乾燥できる。また、第２吹出口４の吹出ルーバ１１が吹出方向を下方としているため、吸い込み口３と緩衝しないすなわち所謂従来例のような短絡現象をしない。従って効率よく除湿乾燥できる。
【００１９】
さらに、第２吹出口４と送風機７とを連通する送風通路１２の一部を水受け皿８で構成し、水受け皿８の下方に送風通路１２を縦断し、ドレン水の排水容器９に発生したドレン水を導くドレン管１３があるので、水受け皿８の裏面はドレン水の熱電導で冷却されるが、送風通路１２により乾燥空気が流通しこの乾燥空気の影響によって結露することが無い。従って、水受け皿８の裏面に断熱材などを付加する必要もなく、水滴が吹出さないので効率のよい除湿乾燥ができる。
【００２０】
【発明の効果】
本発明は、上記説明から明らかなように、本体上面に第１吹出口を設け、前面に吸い込み口を具備し、吸い込み口の下方に第２吹出口を設けた本体内に蒸発器と凝縮器と送風機と水受け皿とドレン水の排水容器を設けることにより、本体の下方に置く靴などの小物との距離を近くでき直接吹出した除湿風を当てることができるので効率よく除湿乾燥ができる。
【００２１】
また、本体上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口に吹出方向を下方とした吹出ルーバを設けることにより、吸い込み風と吹出し風を分離できるので吹出し風をすぐに吸い込むような所謂短絡現象が防止できるので効率よく除湿乾燥できる。
【００２２】
また、本体上面に第１吹出口を設け、前面に吸い込み口を具備し、吸い込み口の下方に第２吹出口を設けた本体内に蒸発器と凝縮器と送風機と水受け皿とドレン水の排水容器を設け、第２吹出口と送風機とを連通する送風通路の一部又は全部を水受け皿で構成することにより、水受け皿の裏面に結露水が付着することなく従って水滴が吹出すことがない。
【図面の簡単な説明】
【図１】本発明の一実施例における除湿機の断面図
【図２】同実施例の使用説明図
【図３】従来例の除湿機の断面図
【符号の説明】
１  本体
２  第１吹出口
３  吸い込み口
４  第２吹出口
５  蒸発器
６  凝縮器
７  送風機
８  水受け皿
９  ドレン水の排水容器
１１  吹出ルーバ
１２  送風通路
１３  ドレン管
１５  靴
【図１】
0003629739.tif 000002
【図２】
0003629739.tif 000003
【図３】
0003629739.tif 000004